(57)【要約】【課題】ミラーキャビネットの鏡扉との干渉を回避できる昇降棚用取っ手を提供する。【解決手段】昇降可能な昇降ユニット７を備えた昇降棚４の昇降ユニット７の下面前部部位に取り付けられる取っ手８は、昇降ユニット７の下面に固定される固定部材８２と、固定部材にヒンジ部材８４を介して連結された手掛け用の手掛け部材８６，８７を備え、手掛け部材８６，８７は、昇降ユニット７の下面７１ａに収納される折り畳み位置から、昇降ユニット７の下面から垂れ下がる使用位置に亘り回動可能に構成されている。【選択図】図１
2013192641.tif 000002
【特許請求の範囲】
【請求項１】
昇降棚に設けられた昇降可能な昇降ユニットの下面前部部位に取り付けられる取っ手であって、
該取っ手は、前記昇降ユニットの下面に固定される固定部材と、該固定部材にヒンジ部材を介し連結された手掛け用の手掛け部材を備え、
該手掛け部材は、前記昇降ユニットの下面に収納される折り畳み位置から、昇降ユニットの下面から垂れ下がる使用位置に亘り回動可能に構成されている
ことを特徴とする昇降棚用取っ手。
【請求項２】
前記手掛け部材には、前記折り畳み位置において前記昇降ユニットの下面に磁着される磁性体が設けられていることを特徴とする請求項１に記載の昇降棚用取っ手。
【発明の詳細な説明】
【技術分野】
【０００１】
本発明は、昇降棚に備えられた昇降ユニットを引き下げ操作するための昇降棚用取っ手に関するものである。
【背景技術】
【０００２】
従来、昇降棚として、特許文献１に開示されているような構造のものが存在する。
この昇降棚では、壁面等に固定された固定箱体内に可動棚が収納されており、固定箱体と可動棚は４節平行リンク機構で構成された揺動支持部材で連結されており、揺動支持部材を介して可動棚は固定箱体内に収納される位置から下側前方へ引き出される使用位置に亘り移動可能なものとなっており、この可動棚を引き下げ操作するために、可動棚の下面には下方へ突出状に取っ手が設けられている。
【先行技術文献】
【特許文献】
【０００３】
【特許文献１】特開２００５−１８５７１３号公報
【発明の概要】
【発明が解決しようとする課題】
【０００４】
上記特許文献１に開示されている昇降棚をミラーキャビネットの上方に設置する場合に、ミラーキャビネットの上端に上下寸法の薄いＬＥＤ照明器が設けられているような場合に、ＬＥＤ照明器の上部に昇降棚を設置すると、昇降棚の取っ手が、ミラーキャビネットの前面に開閉可能に設けられている鏡扉の上端よりも下側へ突出配置されることとなり、ミラーキャビネットの鏡扉を前側へ開ける時に、鏡扉の上端が昇降棚の取っ手に当たり、昇降棚の取っ手とミラーキャビネットの鏡扉との干渉が生じてしまうという問題点があった。
【課題を解決するための手段】
【０００５】
本発明は、ミラーキャビネットの鏡扉との干渉を回避できる昇降棚用取っ手の提供を目的とし、この目的の少なくとも一部を達成するために以下の手段を採った。
本発明は、昇降棚に設けられた昇降可能な昇降ユニットの下面前部部位に取り付けられる取っ手であって、
該取っ手は、前記昇降ユニットの下面に固定される固定部材と、該固定部材にヒンジ部材を介し連結された手掛け用の手掛け部材を備え、
該手掛け部材は、前記昇降ユニットの下面に収納される折り畳み位置から、昇降ユニットの下面から垂れ下がる使用位置に亘り回動可能に構成されている
ことを要旨とする。
【発明の効果】
【０００６】
本発明の昇降棚用取っ手は、昇降ユニットの下面に固定される固定部材と、固定部材にヒンジ部材を介し連結された手掛け部材を備えており、手掛け部材は、昇降ユニットの下面に収納される折り畳み位置から昇降ユニットの下面から垂れ下がる使用位置に亘り回動可能であるため、前面に鏡扉を有するミラーキャビネットの上部に昇降棚を設置して、鏡扉を前方へ開ける操作を行なった際に、鏡扉が昇降棚の取っ手の手掛け部材に当たったとしても、手掛け部材は上方の折り畳み位置へ回動して逃げることができるため、ミラーキャビネットの鏡扉を良好に前方側へ開けることができ、取っ手と鏡扉との干渉を良好に回避できるものとなる。
【０００７】
また、本発明の昇降棚用取っ手において、前記手掛け部材には、前記折り畳み位置において前記昇降ユニットの下面に磁着される磁性体が設けられているものとすることもできる。
こうすれば、手掛け部材に設けられている磁性体を昇降ユニットの下面に磁着させて、取っ手の手掛け部材を昇降ユニットの下面に折り畳み状に収納しておくことができ、この状態では、昇降ユニットの下面から下方へ向かう取っ手の突出寸法は極めて短くなるため、取っ手は、下側に設置されるミラーキャビネットの鏡扉の上端よりも上方に位置することとなり、取っ手との干渉が生ずることなく、良好にミラーキャビネットの鏡扉を前方側へ開閉操作することができるものとなる。
【図面の簡単な説明】
【０００８】
【図１】ミラーキャビネットの上方に設置された昇降棚の昇降ユニットの昇降状態の要部拡大側面構成図である。
【図２】昇降ユニットを収納した状態の昇降棚の下側から見た斜視構成図である。
【図３】取っ手の使用位置における斜視構成図である。
【発明を実施するための形態】
【０００９】
次に、本発明を実施するための形態を実施例を用いて説明する。
図１は、ミラーキャビネットの上方に設置された昇降棚の要部拡大側面構成図であり、図２は、昇降ユニットを収納した状態の昇降棚の下側から見た斜視構成図である。
図において、キッチンの壁面等にはミラーキャビネット１が設置され、このミラーキャビネット１の上方に、昇降ユニット７を備えた昇降棚４が設置されている。
ミラーキャビネット１は、前方側へ開閉可能に前面に鏡扉２が設けられており、ミラーキャビネット１の上端には、ＬＥＤランプで構成されたＬＥＤ照明器３が備えられている。
ＬＥＤ照明器３の上方に設置される昇降棚４は、壁面に固定される固定箱体５内に昇降ユニット７が設けられており、この昇降ユニット７は、固定箱体５内に収納される収納位置からミラーキャビネット１の鏡扉２の前方へ引き出される使用位置に亘り昇降可能となっている。
【００１０】
昇降棚４を構成する固定箱体５は、底側の底壁５１と天井側の天壁５２と背側の背壁５３と左右の側壁５４，５４により、前方側が開放された箱体として形成されており、前面側には開閉可能に扉６が設けられている。
この固定箱体５の底壁５１の前端は切り欠かれた切欠開口部５１ａとなっており、この切欠開口部５１ａ内に、収納状態における昇降ユニット７の底板７１が図１のように配置され、底壁５１の下面と昇降ユニット７の底板７１の下面７１ａがほぼ面一状となって固定箱体５内に昇降ユニット７が収納される。
【００１１】
昇降ユニット７は、固定箱体５に対し揺動支持部材１１を介して昇降動できるように構成されている。
固定箱体５の左右の側壁５４，５４の内面にはベース部材９が固定されており、このベース部材９に対し軸を介して前後および上下方向に揺動可能に揺動支持部材１１を構成する第１アーム１１ａと第２アーム１１ｂが連結されており、第１アーム１１ａおよび第２アーム１１ｂの他端側は、それぞれ軸１２，１２を介して昇降ユニット７に固定された取付板１０に連結されている。
この揺動支持部材１１は４節平行リンク機構となっており、昇降ユニット７の収納位置では、第１アーム１１ａおよび第２アーム１１ｂは図１の想像線のように縦方向に立ち上がった状態となり、昇降ユニット７が鏡扉２の前方側へ引き出された状態では、図１の実線のように第１アーム１１ａおよび第２アーム１１ｂは前方へ向かって横方向に突出した状態となる。
【００１２】
なお、この揺動支持部材１１に連繋して連動アーム１３が設けられており、連動アーム１３は、扉６の上端内側に設けられた扉ヒンジ１４のリンク機構に連繋されている。従って、昇降ユニット７が使用位置へ向かって下降される時に、連動アーム１３および扉ヒンジ１４を介して同時に扉６も前方側へ開かれるように構成されている。
【００１３】
昇降ユニット７を引き下げ操作するために昇降ユニット７の底板７１の下面７１ａに下向きに取り付けられている取っ手８は、本例では図３の斜視図で示すような折り畳み式のものとなっている。この取っ手８は、昇降ユニット７とは別体で樹脂で成形されたものであり、昇降ユニット７の底板７１の下面７１ａに後付けで取り付けられる。
【００１４】
取っ手８は、左右側にそれぞれ固定部材８１と固定部材８２が設けられており、この各固定部材８１，８２の後端側に、それぞれ軸８３，８４（ヒンジ部材）により上下方向に回動可能に左側の回動アーム部８５と右側の回動アーム部８６が連結されており、回動アーム部８５と回動アーム部８６の先端側には橋渡し状に手掛け板部８７が一体形成されている。この左右の回動アーム部８５，８６と手掛け板部８７で手掛け部材が構成されている。
【００１５】
左右の固定部材８１，８２は、中空の長方形ブロック状に形成されており、上面が開口するネジ孔８１ａ，８２ａがそれぞれ一体形成されている。ネジ孔８１ａ，８２ａ内には予めナットを埋め込んでおくことができる。
また、左右の回動アーム部８５，８６には、上面側にそれぞれ凹み状に凹部８５ａ，８６ａが形成されており、凹部８５ａ内に固定部材８１を嵌め込むことができ、また、凹部８６ａ内に固定部材８２を嵌め込むことができるものとなっている。
また、手掛け板部８７の中央部には、指掛け用に凹部８７ａが形成されており、この指掛け用凹部８７ａの付近に磁石８９が固設されている。
【００１６】
このような取っ手８は、左右の固定部材８１，８２を昇降ユニット７の底板７１の下面７１ａに当接させ、底板７１の上面側よりネジをネジ孔８１ａ，８２ａにそれぞれ締め付けて、ネジ等で左右の固定部材８１，８２が底板７１の下面７１ａに固設されるものである。
このように取っ手８は別体で形成して、後付けで昇降ユニット７の底板７１の下面７１ａに取り付けることができる。
【００１７】
取っ手８の取付状態において、左右の固定部材８１，８２から斜め下向きに左右の回動アーム部８５，８６が垂れ下がった状態となり、この状態で手掛け板部８７に手を掛けて下側へ向かって力を加えることで、昇降ユニット７を良好に引き下げることができる。
また、左右の固定部材８１，８２に対し左右の回動アーム部８５，８６を軸８３，８４を中心として上方へ押し上げると、固定部材８１および８２は回動アーム部８５，８６に形成されている凹部８５ａ，８６ａ内に嵌まり込んでゆき、手掛け板部８７は次第に水平な状態となり、やがては、磁石８９が昇降ユニットの底板７１の下面７１ａに磁着されて、手掛け板部８７が昇降ユニット７の底板７１の下面に折り畳み収納されることとなる。
【００１８】
この手掛け板部８７が収納された折り畳み位置では、昇降ユニット７の底板７１の下面７１ａから下方側への取っ手８の突出寸法は極めて薄いものとなり、昇降ユニット７が固定箱体５内に収納された状態では、図１に示すように、下方側に設置されているミラーキャビネット１の鏡扉２の上端のライン２Ｒよりも上方に取っ手８が位置することとなり、鏡扉２を前方側へ開ける場合にも、鏡扉２の上端が取っ手８に当たることはなく、スムーズに鏡扉２を開閉させることができる。
【００１９】
なお、昇降ユニット７を固定箱体５内に収納させた状態で、図３に示すように、取っ手８の手掛け板部８７を下方側へ垂れ下がった状態としておくこともでき、この状態では、ミラーキャビネット１の鏡扉２を開ける際、鏡扉２の上端が、手掛け板部８７および左右の回動アーム部８５，８６の下端付近に当たることとなるが、手掛け板部８７および左右の回動アーム部８５，８６は軸８３，８４を介して上下方向に回動可能であるため、鏡扉２の上端が取っ手８に当たったとしても、鏡扉２を前方側へ開く力で自然に取っ手８の手掛け板部８７および左右の回動アーム部８５，８６は上方へ回動して逃げることができ、そのため、鏡扉２と取っ手８との干渉を良好に回避できて、鏡扉２を前方側へ良好に開けることができるものとなる。
【００２０】
なお、図３のような折り畳み式の取っ手８において、軸８３，８４等にバネを付設しておき、このバネにより、常には左右の回動アーム部８５，８６に上方へ向かう付勢力が作用するように構成しておけば、バネの付勢力により常には手掛け板部８７は昇降ユニット７の底板７１の下面７１ａ側へ収納される折り畳み状態となり、取っ手８を使用する時のみバネの付勢力に抗して手掛け板部８７を下方側へ引き下げて使用することができるものとなる。なお、バネを使用した構成では、磁石８９は不要となる。
また、本例では、手掛け板部８７の中央部に指掛け用の凹部８７ａを形成したものを例示しているが、この指掛け用凹部８７ａは省略することもできる。
【００２１】
このように本例では、別体で形成した取っ手８を昇降ユニット７の底板７１の下面７１ａに後付けで取り付けることができ、上端に上下寸法の薄いＬＥＤ照明器３を備えたミラーキャビネット１の上部に昇降棚４を設置する場合でも、取っ手８が折り畳み式であるため、ミラーキャビネットの鏡扉２の上端と取っ手８との干渉を良好に回避できるものとなり、ＬＥＤ照明器３を備えたミラーキャビネット１の上部に良好に昇降棚４を設置することができるものとなる。
【符号の説明】
【００２２】
１  ミラーキャビネット
２  鏡扉
３  ＬＥＤ照明器
４  昇降棚
５  固定箱体
６  扉
７  昇降ユニット
８  取っ手
１１  揺動支持部材
５１  底壁
５１ａ  切欠開口部
７１  底板
７１ａ  下面
８１，８２  固定部材
８１ａ，８２ａ  ネジ孔
８５，８６  回動アーム部
８５ａ，８６ａ  凹部
８７  手掛け板部
８７ａ  指掛け用凹部
８９  磁石（磁性体）
【図１】
2013192641.tif 000003
【図２】
2013192641.tif 000004
【図３】
2013192641.tif 000005